(57)【特許請求の範囲】
【請求項１】
注文を出す発注者と製品を生産する生産者との間における発注及び受注に基づく生産管理システムであって、
複数型式の製品を生産する為の生産計画において、
発注者の注文を生産計画における所定生産日での所定型式の製品にコンピュータによって自動的に引き当てる引当処理が行われ、前記引当処理が行われた後の生産計画における製品の所定生産日や所定型式を製品ごとに生産者による手動で変更する変更処理が可能となるように構成すると共に、
前記引当処理が行われると、前記引当処理が行われている所定生産日での所定型式の製品のみを前記引当処理が行われている間だけ前記変更処理から遮断する変更遮断処理が行われ、
前記変更処理が行われると、前記変更処理が行われている所定生産日での所定型式の製品のみを前記変更処理が行われている間だけ前記引当処理から遮断する引当遮断処理が行われる生産管理システム。
【発明の詳細な説明】
【技術分野】
【０００１】
本発明は、注文を出す発注者と製品を生産する生産者との間における発注及び受注に基づく生産管理システムに関する。
【背景技術】
【０００２】
製品の生産では一般に、市場の動向による需要予測や受注の状況等に基づいて、複数型式の製品を生産する為の生産計画を生産者が立案することが多くある。この場合、発注者の注文が入るごとに、発注者の注文が生産計画における所定生産日での所定型式の製品に引き当てられていき、所定生産日に基づく納入日が発注者に回答されるものがある（特許文献１参照）。
【０００３】
【特許文献１】特開２００４−２９８７４号公報
【発明の開示】
【発明が解決しようとする課題】
【０００４】
例えば所定生産日での所定型式の製品が全て発注者の注文に引き当てられている場合、この所定型式の製品に対して次の発注者の注文があっても、次の発注者の注文を所定生産日での所定型式の製品に引き当てることができないので、次の発注者の注文が所定生産日以後の日での所定型式の製品に引き当てられることになり、次の発注者の注文に対する製品の納入が少し遅れることになる。
従って、このような状態になると、生産者は生産計画を変更して、次の発注者の注文に対する製品の納入の遅れを少なくする必要がある（例えば所定生産日において、所定型式とは別の型式の製品の生産を所定型式の製品に変更する等を行う）。
【０００５】
本発明は、注文を出す発注者と製品を生産する生産者との間における発注及び受注に基づく生産管理システムにおいて、発注者の注文に対する製品の納入の遅れを少なくする場合、発注者の注文に適切に対応しながら生産計画の変更が行えるようにすることを目的としている。
【課題を解決するための手段】
【０００６】
【０００７】
【０００８】
本発明は、注文を出す発注者と製品を生産する生産者との間における発注及び受注に基づく生産管理システムにおいて、
複数型式の製品を生産する為の生産計画において、発注者の注文を生産計画における所定生産日での所定型式の製品にコンピュータによって自動的に引き当てる引当処理が行われ、前記引当処理が行われた後の生産計画における製品の所定生産日や所定型式を製品ごとに生産者による手動で変更する変更処理が可能となるように構成すると共に、前記引当処理が行われると、前記引当処理が行われている所定生産日での所定型式の製品のみを前記引当処理が行われている間だけ前記変更処理から遮断する変更遮断処理が行われ、前記変更処理が行われると、前記変更処理が行われている所定生産日での所定型式の製品のみを前記変更処理が行われている間だけ前記引当処理から遮断する引当遮断処理が行われる。
【０００９】
（作用）
［Ｉ］
例えば図３に示すように、複数型式（型式Ｋ１，Ｋ２，Ｋ３，Ｋ４）の製品を生産する為の生産計画において、発注者Ｃ１〜Ｃ７の注文が生産計画における所定生産日（Ｎ月１日〜４日）での所定型式（型式Ｋ１，Ｋ２，Ｋ３，Ｋ４）の製品に引き当てる引当処理が行われたとする。
この状態において、例えばＮ月１日生産の製品（型式Ｋ１〜Ｋ４）が全て発注者Ｃ１〜Ｃ４の注文に引き当てられている場合、製品（型式Ｋ１）に対して次の発注者Ｃ８の注文があっても、発注者Ｃ８の注文をＮ月１日生産の製品（型式Ｋ１）に引き当てることができないので、発注者Ｃ８の注文がＮ月３日生産の製品（型式Ｋ１）に引き当てられたとする。
【００１０】
本発明によると、例えば図３に示すように、生産者はＮ月２日生産の製品（型式Ｋ４）が未引き当てであることに着目して、図４に示すように、Ｎ月２日生産の製品（型式Ｋ４）をＮ月２日生産の製品（型式Ｋ１）に変更する変更処理を行うことができる（変更処理）。これにより、発注者Ｃ８の注文がＮ月２日生産の製品（型式Ｋ１）に引き当てられて、発注者Ｃ８の注文に対する製品の納入の遅れを少なくすることができる。
【００１１】
【００１２】
【００１３】
【００１４】
【００１５】
【００１６】
【００１７】
【００１８】
【００１９】
［ＩＩ］
例えば前項［Ｉ］及び図３に示すように、発注者Ｃ１〜Ｃ７の注文が生産計画における所定生産日（Ｎ月１日〜４日）での所定型式（型式Ｋ１，Ｋ２，Ｋ３，Ｋ４）の製品に引き当てる引当処理が行われたとする。
本発明によると、例えば図３に示すように、発注者Ｃ１の注文のＮ月１日生産の製品（型式Ｋ１）への引当処理が行われている間、生産者はＮ月１日生産の製品（型式Ｋ１）の変更処理（例えばＮ月１日生産の製品（型式Ｋ１）をＮ月４日生産の製品（型式Ｋ２）に変更するような変更処理）を行おうとしても、この変更処理が遮断されて拒絶される（変更遮断処理）。この場合、生産者はＮ月１日生産の製品（型式Ｋ１）以外の変更処理は行うことができるのであり（例えばＮ月１日生産の製品（型式Ｋ２）の変更処理は行うことができる）、発注者Ｃ１の注文のＮ月１日生産の製品（型式Ｋ１）への引当処理が終了すると、生産者はＮ月１日生産の製品（型式Ｋ１）の変更処理を行うことができる。
【００２０】
本発明によると、例えば図４に示すように、生産者がＮ月２日生産の製品（型式Ｋ４）をＮ月２日生産の製品（型式Ｋ１）に変更する変更処理を行っている間、発注者の注文のＮ月２日生産の製品（型式Ｋ４）への引当処理、並びに、発注者の注文のＮ月２日生産の製品（型式Ｋ１）への引当処理が遮断されて拒絶される（引当遮断処理）。この場合、Ｎ月２日生産の型式（Ｋ１，Ｋ４）以外のＮ月１日〜４日の製品（型式Ｋ１〜Ｋ４）への引当処理を行うことができる（例えばＮ月２日生産の製品（型式Ｋ２）への引当処理を行うことができる）。
【００２１】
以上のように本発明によれば、所定生産日での所定型式の製品への引当処理が行われていると所定生産日での所定型式の製品の変更処理を遮断して拒絶し、所定生産日での所定型式の製品の変更処理が行われていると所定生産日での所定型式の製品への引当処理を遮断して拒絶すると言うように、所定生産日での所定型式の製品に対して引当処理及び変更処理が同時に行われる状態が生じないようにしている。これによって、所定生産日での所定型式の製品に対して引当処理及び変更処理が同時に行われることによる混乱や、データベースである生産計画の破損が防止される。
【００２２】
この場合に、例えば所定生産日での所定型式の製品への引当処理が行われている間、生産計画の全てを保護して生産計画の変更処理が全く行えないようにすることも考えられるが、このようにすると現在行われている引当処理とは無関係の変更処理も行えなくなり、効率的ではない。
これに対して本発明によると、現在行われている引当処理の所定型式以外の所定型式においての変更処理や、現在行われている引当処理の所定生産日以外の所定生産日においての変更処理を行うことができ、現在行われている変更処理の所定型式以外の所定型式においての引当処理や、現在行われている変更処理の所定生産日以外の所定生産日においての引当処理を行うことができる。
【００２３】
（発明の効果）
本発明によると、注文を出す発注者と製品を生産する生産者との間における発注及び受注に基づく生産管理システムにおいて、発注者の注文に対する製品の納入の遅れを少なくすることができるようになり、生産管理システムの顧客満足度を高めることができた。
【００２４】
本発明によると、引当処理及び変更処理が同時に行われることによる混乱や、データベースである生産計画の破損が防止されることによって、生産管理システムの信頼性を高めることができた。
本発明によると、現在行われている引当処理とは無関係の変更処理が行え、現在行われている変更処理とは無関係の引当処理が行えることによって、生産管理システムの作業効率を高めることができた。
【発明を実施するための最良の形態】
【００２５】
例えば、農用トラクタやコンバイン等の農業機械のような製品を顧客に販売する販売会社等の販売者（発注者）と、製品を生産するメーカー等の生産者との間において、発注及び受注に基づく生産管理システムについて、以下のように説明する。
【００２６】
［１］
第１，２，３予約発注Ａ１，Ａ２，Ａ３及び当用発注Ｂ１について説明する。
農用トラクタやコンバイン等の農業機械のような製品は、１年を通じて売れると言うものではなく、１年の内の特定の時期に比較的集中して売れると言うような季節性を備えており、製品の種類によって製品の売れる時期が異なっている。
【００２７】
このような製品を取り扱う販売者（発注者）では、顧客情報等に基づいて数学的統計手法や、経験則によりコンピュータ等を使用して需要予測を常に行っており、所定の製品が売れる時期の前に、自身が行った需要予測に基づいて事前に販売者（発注者）が生産者に所定の製品の発注を出すことによって、販売者（発注者）は製品が売れる時期に所定の製品を過不足なく確保しておく必要がある（確保した製品が少ないと売り上げを逃してしまい、確保した製品が多いと製品が在庫として残ることになる）。
【００２８】
図１に示すように、販売者（発注者）と生産者との間において、製品の納入まで異なる長さの期間を備えた３種類の第１予約発注Ａ１、第２予約発注Ａ２、第３予約発注Ａ３が設定されており、第１，２，３予約発注Ａ１，Ａ２，Ａ３とは別に当用発注Ｂ１が設定されている。
【００２９】
製品の納入までの期間及び販売者（発注者）が生産者に支払う料金の値引き率は、第１予約発注Ａ１が例えば約１箇月及び５％であり、第２予約発注Ａ２が例えば約２箇月及び１０％に設定されている。第１予約発注Ａ１では、発注日から１箇月後の月に対応する出荷月において、出荷月の末までに販売者（発注者）に製品が納入される（例えば発注日が５月９日であると、出荷月が６月となり、６月末までに販売者（発注者）に製品が納入される）。第２予約発注Ａ２では、発注日から２箇月後の月が出荷月となり、第１予約発注Ａ１と同様に出荷月の末までに販売者（発注者）に製品が納入される。
【００３０】
製品の納入までの期間及び販売者（発注者）が生産者に支払う料金の値引き率は、第３予約発注Ａ３が例えば約３箇月及び１５％に設定されている。第３予約発注Ａ３では、発注日から３箇月後の月に対応する出荷月において、出荷月の前半に販売者（発注者）に製品が納入される（例えば発注日が５月９日であると、出荷月が８月となり、８月の前半に販売者（発注者）に製品が納入される）。当用発注Ｂ１は主に顧客から販売者（発注者）への注文等に基づいて行われるものであり、製品の納入までの期間が例えば１０日程度以内に設定され、生産者から販売者（発注者）への納入日を指定することができるのに対して、販売者（発注者）が生産者に支払う料金の値引き率は０％に設定されている。
【００３１】
［２］
次に第１，２，３予約発注Ａ１，Ａ２，Ａ３及び当用発注Ｂ１のリスクと利益について説明する。
図１に示すように、販売者（発注者）は毎日のように顧客に接して精度の高い顧客情報を得ているので、精度の高い需要予測を行うことは比較的容易なものとなっている。しかし、多数の販売者（発注者）において販売者（発注者）が持つ顧客情報の質及び量や販売者（発注者）の力量等により、販売者（発注者）によって販売者（発注者）の需要予測に精度の差が生じてくる。
【００３２】
これによって、所定の製品の発注を出す場合、高い精度の需要予測を行うことができる販売者（発注者）は、第２及び第３予約発注Ａ２，Ａ３を多く出し、第１予約発注Ａ１及び当用発注Ｂ１はあまり出さないと言う傾向となり、所定の製品が売れる時期のかなり前から第２及び第３予約発注Ａ２，Ａ３を出すと言う傾向となる。逆に高い精度の需要予測を行うことができない販売者（発注者）は、第１予約発注Ａ１及び当用発注Ｂ１を多く出し、第２及び第３予約発注Ａ２，Ａ３はあまり出さないと言う傾向となり、所定の製品が売れる時期の直前に第１予約発注Ａ１及び当用発注Ｂ１を出すと言う傾向となる。
【００３３】
前述のように、販売者（発注者）が顧客情報等に基づいて需要予測を行い、自身が行った需要予測に基づいて販売者（発注者）が生産者に第１，２，３予約発注Ａ１，Ａ２，Ａ３及び当用発注Ｂ１を出すので、需要予測が実際の需要から外れることによるリスクは販売者（発注者）が負うことになる（販売者（発注者）に負担が掛かることになる）。逆に需要予測が実際の需要から外れることによるリスクは生産者は負わない。
【００３４】
この場合、高い精度の需要予測を行うことができる販売者（発注者）は、第２及び第３予約発注Ａ２，Ａ３を多く出すことにより、需要予測が実際の需要から外れることによるリスクは大きなものになるが、生産者に支払う料金の値引き率を大きなものにすることができると言う利益を得ることができる。逆に高い精度の需要予測を行うことができない販売者（発注者）は、第１予約発注Ａ１及び当用発注Ｂ１を多く出すことにより、需要予測が実際の需要から外れることによるリスクは小さなものになるが、生産者に支払う料金の値引き率を大きなものにすることができると言う利益を得ることができない。
【００３５】
［３］
次に生産計画及び引当処理について説明する。
図１及び図２に示すように、前述のようにして多数の販売者（発注者）の各々が需要予測を行い、自身が行った需要予測に基づいて販売者（発注者）は生産者に第１，２，３予約発注Ａ１，Ａ２，Ａ３を、コンピュータネットワーク等を利用して出すのであり、顧客からの注文等に基づいて生産者に当用発注Ｂ１をコンピュータネットワーク等を利用して出す。生産者は第１，２，３予約発注Ａ１，Ａ２，Ａ３及び当用発注Ｂ１を随時受注しており、所定日（例えば毎月の１０日）に受注の締め切りを行って、これまでに受注した第１，２，３予約発注Ａ１，Ａ２，Ａ３をまとめる。
【００３６】
図１及び図２に示すように、生産者は所定日までに受注した第１，２，３予約発注Ａ１，Ａ２，Ａ３に基づいて、コンピュータ等を使用することにより、データベースである生産計画の立案及び生産計画の修正を行い（月次計画、日程計画及び確定計画により、次月の生産計画の見直し及び次々月の生産計画の新規作成を行う）、その月度の引当処理及び日々の引当処理を行うのであり、この間においても当用発注Ｂ１を随時受注している。
【００３７】
この場合、例えば図３に示すように、複数型式（所定型式（型式Ｋ１，Ｋ２，Ｋ３，Ｋ４・・・））の製品において、Ｎ月（Ｎ月１日〜４日・・・（所定生産日に相当））の生産計画が立案されたとすると、第１，２，３予約発注Ａ１，Ａ２，Ａ３及び当用発注Ｂ１の受注に基づいて、Ｎ月１日生産の製品（型式Ｋ１）に販売者（発注者）Ｃ１の注文が自動的に引き当てられ、Ｎ月１日生産の製品（型式Ｋ２）に販売者（発注者）Ｃ２の注文が自動的に引き当てられると言うように、販売者（発注者）Ｃ１〜Ｃ７の注文が自動的に引き当てられていく（引当処理）。
【００３８】
これにより、生産者は部品メーカー等への発注を行うのであり、引当処理が行われた第１予約発注Ａ１に対する確定納期を、コンピュータネットワーク等を利用して販売者（発注者）に回答し（例えば毎月の２０日）、前月に受注して引当処理が行われた第２予約発注Ａ２の確定納期、及び前々月に受注して引当処理が行われた第３予約発注Ａ３の確定納期を、コンピュータネットワーク等を利用して販売者（発注者）に回答する。
【００３９】
引当処理が行われた当用発注Ｂ１に対する確定納期を、コンピュータネットワーク等を利用して販売者（発注者）に直ちに回答する。生産者が当用発注Ｂ１を受注した際、当用発注Ｂ１の引当処理が行われなければ、生産者は当用発注Ｂ１に対する納期の仮回答を、コンピュータネットワーク等を利用して販売者（発注者）に回答し、数日後に当用発注Ｂ１に対する確定納期を、コンピュータネットワーク等を利用して販売者（発注者）に回答する。
【００４０】
［４］
次に生産計画及び変更処理について説明する。
図３に示すようなＮ月の生産計画において、Ｎ月１日生産の製品（型式Ｋ１〜Ｋ４）が全て販売者（発注者）Ｃ１〜Ｃ４の注文に引き当てられている場合、製品（型式Ｋ１）に対して次の販売者（発注者）Ｃ８の注文があっても、販売者（発注者）Ｃ８の注文をＮ月１日生産の製品（型式Ｋ１）に引き当てることができないので、販売者（発注者）Ｃ８の注文がＮ月３日生産の製品（型式Ｋ１）に自動的に引き当てられたとする。
【００４１】
この場合、図３に示すように、生産者はＮ月の生産計画の全体を見て判断し、Ｎ月２日生産の製品（型式Ｋ４）が未引き当てであることに着目して、図４に示すように、Ｎ月２日生産の製品（型式Ｋ４）の１台をＮ月２日生産の製品（型式Ｋ１）に変更する（変更処理）。これにより、販売者（発注者）Ｃ８の注文のＮ月３日生産の製品（型式Ｋ１）への引き当てが自動的に解除されて、販売者（発注者）Ｃ８の注文がＮ月２日生産の製品（型式Ｋ１）に自動的に引き当てられるのであり、販売者（発注者）Ｃ８の注文の確定納期が販売者（発注者）Ｃ８に回答される。このようにして販売者（発注者）Ｃ８の注文の確定納期が早められることになる。
【００４２】
図３に示すように、Ｎ月の生産計画において、販売者（発注者）Ｃ７の注文がＮ月４日生産の製品（型式Ｋ３）に引き当てられているのに対し、Ｎ月２日生産の製品（型式Ｋ２）が未引き当てである場合、生産者はＮ月の生産計画の全体を見て判断し、図４に示すように、Ｎ月４日生産の製品（型式Ｋ３）をＮ月２日生産の製品（型式Ｋ３）に変更する（変更処理）。これにより、販売者（発注者）Ｃ７の注文のＮ月４日生産の製品（型式Ｋ３）への引き当てが自動的に解除されて、販売者（発注者）Ｃ７の注文がＮ月２日生産の製品（型式Ｋ３）に自動的に引き当てられるのであり、販売者（発注者）Ｃ７の注文の確定納期が販売者（発注者）Ｃ７に回答される。このようにして販売者（発注者）Ｃ７の注文の確定納期が早められることになる。
【００４３】
この場合、図３及び図４に示すように、Ｎ月２日生産が増えて繁忙になるので、生産者はＮ月の生産計画の全体を見て判断し、Ｎ月２日生産の製品（型式Ｋ２）が未引き当てであること、Ｎ月４日生産の製品（型式Ｋ２）が無いことに着目して、Ｎ月２日生産の製品（型式Ｋ２）をＮ月４日生産の製品（型式Ｋ２）に変更する。
【００４４】
［５］
次に生産計画、変更遮断処理及び引当遮断処理について説明する。
前項［３］及び図３に示すように、販売者（発注者）Ｃ１〜Ｃ７の注文が自動的に引き当てられていく場合（引当処理）、例えば販売者（発注者）Ｃ１の注文のＮ月１日生産の製品（型式Ｋ１）への引当処理が行われている間、生産者はＮ月１日生産の製品（型式Ｋ１）の変更処理（前項［４］及び図４に示すように、Ｎ月２日生産の製品（型式Ｋ２）をＮ月４日生産の製品（型式Ｋ２）に変更するような変更処理）を行おうとしても、この変更処理が遮断されて拒絶される（変更遮断処理）。
【００４５】
しかし、図３に示すように、生産者は例えば引当処理が行われていないＮ月３日生産の製品（型式Ｋ４）の変更処理は行うことができる。販売者（発注者）Ｃ１の注文のＮ月１日生産の製品（型式Ｋ１）への引当処理が終了すると、生産者はＮ月１日生産の製品（型式Ｋ１）の変更処理を行うことができる。
【００４６】
前項［４］及び図４に示すように、例えば生産者がＮ月２日生産の製品（型式Ｋ２）をＮ月４日生産の製品（型式Ｋ２）に変更する変更処理を行っている間、販売者（発注者）の注文のＮ月２日生産の製品（型式Ｋ２）への引当処理、並びに、販売者（発注者）の注文のＮ月４日生産の製品（型式Ｋ２）への引当処理が遮断されて拒絶される（引当遮断処理）。
【００４７】
しかし、図４に示すように、変更処理が行われていないＮ月３日生産の製品（型式Ｋ４）やＮ月４日生産の製品（型式Ｋ１）に対しては、販売者（発注者）の注文のＮ月３日生産の製品（型式Ｋ４）への引当処理や、販売者（発注者）の注文のＮ月４日生産の製品（型式Ｋ１）への引当処理が行われる。
【００４８】
［６］
前項［３］［４］［５］に記載のように、生産者において、生産計画の立案、引当処理及び変更処理（生産計画の修正）が行われる際に、コンピュータ等を使用して生産の平準化や在庫品の圧縮及び適正化、納期の短縮化等の生産運営の適正化が行われる。
この場合、生産者は第１予約発注Ａ１や当用発注Ｂ１ばかりで受注するのではなく、製品の納入までの期間が長い第２及び第３予約発注Ａ２，Ａ３も受注するので、第２及び第３予約受注Ａ２，Ａ３により生産計画の立案及び生産計画の修正を柔軟に行うことができるのであり、生産者の生産計画に掛かる制約及び生産運営に掛かる負担を少なくすることができる。
【００４９】
図１及び図２に示すように、例えば（Ｎ−１）月の所定日からＮ月の所定日までに受注した第１，２，３予約発注Ａ１，Ａ２，Ａ３に基づいて生産者は生産計画の立案及び生産計画の修正を行い（月次計画、日程計画及び確定計画により、（Ｎ＋１）月の生産計画の見直し及び（Ｎ＋２）月の生産計画の新規作成を行う）、第１予約発注Ａ１に対する確定納期、前月に受注した第２予約発注Ａ２の確定納期、及び前々月に受注した第３予約発注Ａ３の確定納期をコンピュータネットワーク等を利用して販売者（発注者）に回答する。（Ｎ＋１）月の生産計画の見直しには、（Ｎ＋１）月に出荷する製品の生産の見直し、（Ｎ＋２）月に出荷する製品の先行生産の見直し、及び当用発注Ｂ１に対する生産の見直し等が含まれる。
【００５０】
前述のように需要予測が実際の需要から外れることによるリスクは生産者は負わないが（需要予測が実際の需要から外れることによるリスクは販売者が負う）、第１予約発注Ａ１に対する確定納期、前月に受注した第２予約発注Ａ２の確定納期、前々月に受注した第３予約発注Ａ３の確定納期、及び当用発注Ｂ１に対する確定納期を、生産者が販売者（発注者）に回答することにより、生産者は販売者（発注者）に保障を与えることになる。
【００５１】
前述のように、第１予約発注Ａ１に対する確定納期、前月に受注した第２予約発注Ａ２の確定納期、前々月に受注した第３予約発注Ａ３の確定納期、及び当用発注Ｂ１に対する確定納期を販売者（発注者）が受け取ると、販売者（発注者）は第１，２，３，予約発注Ａ１，Ａ２，Ａ３に対する製品の受け取り及び当用発注Ｂ１に対する製品の受け取りの確約を、生産者にコンピュータネットワーク等を利用して返答するのであり、販売者（発注者）は生産者の生産計画に保障を与えることになる。このようにして、販売者（発注者）は製品を生産者から受け取って顧客に販売する。
【図面の簡単な説明】
【００５２】
【図１】販売者（発注者）と生産者との関係を示す図
【図２】生産者における生産計画の立案及び生産計画の修正の状態を示す図
【図３】立案された生産計画に販売者（発注者）の注文が引き当てられる状態を示す図
【図４】生産計画に変更処理が行われる状態を示す図
【符号の説明】
【００５３】
Ｃ１〜Ｃ８  発注者
Ｋ１〜Ｋ４  所定型式
【図１】
0004773184.tif 000002
【図２】
0004773184.tif 000003
【図３】
0004773184.tif 000004
【図４】
0004773184.tif 000005